【事件の表示】
　平成　５年特許願第１４４７２７号「録音装置および録音方法」拒絶査定不服審判事件〔平成　７年　１月１０日出願公開、特開平　７−　　６４８４〕について、次のとおり審決する。
【結　論】
　本件審判の請求は、成り立たない。
【理　由】
Ｉ．手続の経緯、本願発明
　本願は、平成５年６月１６日の出願であって、その請求項１〜８に係る発明は、平成１１年７月１９日付け及び平成１５年８月２５日付けの手続補正で補正された明細書及び図面の記載からみて、その特許請求の範囲の請求項１〜８に記載されたとおりのものと認められるところ、そのうち請求項１に係る発明（以下、「本願発明」という。）は次のとおりである。なお、記号（Ａ）〜（Ｇ）は、対比に資するため便宜的に当審が付したものである。
　【請求項１】「（Ａ）　１回のみ記録可能な記録媒体に、少なくとも１の楽曲に対応したオーディオ信号の録音を行う録音装置であって、
（Ｂ）　前記オーディオ信号を所定の第１時間だけ遅延させて遅延オーディオ信号を得る遅延手段と、
（Ｃ）　前記オーディオ信号の無音状態から有音状態への変移に基づいて曲の開始位置を検出して検出信号を発生する音声検出手段と、
（Ｄ）　曲番を示すトラックナンバー信号を記憶する記憶手段と、
（Ｅ）　前記音声検出手段から発生された検出信号に応じて時間を計時する計時手段と、
　前記計時手段が前記第１時間よりも小なる第２時間を計時したタイミング毎に前記記憶手段に記憶されているトラックナンバー信号を１インクリメントする手段と、
（Ｆ）　前記遅延オーディオ信号及び前記記憶手段に記憶されているトラックナンバー信号を夫々変調して前記記録媒体に記録する記録手段と
（Ｇ）　を有することを特徴とする録音装置。」
　
ＩＩ．引用例
　これに対し、原査定の拒絶の理由に引用された本願出願前の刊行物である特開平２−６１８７９号公報（以下、「引用例１」という。）、及び特開昭６２−１１０６９３号公報（以下、「引用例２」という。）、そして、同原査定で周知例として提示された特開平３−１８３０５１号公報（以下、「周知例ａ」という。）、及び特開平２−１９８０５２号公報（以下、「周知例ｂ」という。）、実願昭６２−７０１０７号（実開昭６３−１８１１５４号）のマイクロフィルム（以下、「周知例ｃ」という。）には、それぞれ、図面と共に次のように記載されている。なお、下線は、便宜的に当審が付与したものである。
　
　引用例１には、
　（1-i）「（１）
情報記録媒体上に記録した音楽情報、曲頭信号、曲番信号
記録再生装置において、上記アフターレコーディング時に上記曲頭信号および曲番信号を既記録位置よりも所定時間前方にずらして記録するように構成したことを特徴とする記録再生装置
　（1-ii）従来技術として、「第２図（ａ）に示した
音楽情報信号
スレッシュホールドレベル（ＬＳ）と曲音量とを比較することにより、その曲頭位置が得られる
　このようにして認識された曲頭位置Ａ，Ｂが第２図（ｂ）で示すように、上記各音楽情報信号（ＭＳ１），（ＭＳ２）の曲頭信号として一定幅のパルス信号（Ｐ１），（Ｐ２）でテープ上に記録される。これらの各パルス信号（Ｐ１），（Ｐ２）の始めの変化点、つまり立上り部（Ｐａ１），（Ｐａ２）が上記各音楽情報信号（ＭＳ１），（ＭＳ２）の曲頭位置となる。
　また、上記
曲頭位置と同一のタイミングのもとで
各音楽情報信号（ＭＳ１），（ＭＳ２）における曲番信号（Ｎ），（Ｎ＋１）がテープ上に記録される
　（1-iii）「［発明が解決しようとする課題］
　以上のように構成された従来の記録再生装置によれば、
真の曲頭位置と再生音の開始位置との間に上記したような時間遅延が発生し、これによって、音楽情報の再生時において曲頭に音切れを発生する問題があった
　この発明は上記のような問題点を解消するためになされたもので、
音楽情報の再生時における曲頭の音切れをなくすることができる
　（1-iv）「［課題を解決するための手段］
　この発明にかかる記録再生装置は、アフターレコーディング時に上記曲頭信号および曲番信号を既記録位置よりも所定時間前方にずらして記録するように構成したことを特徴とする。
［作用］
　この発明によれば、アフターレコーディング時に上記曲頭信号および曲番信号を既記録位置に対して所定時間前方にずらして記録することにより、アフターレコーディング後の再生において、その再生音の開始位置の真の曲頭位置に対する時間遅延がなくなり、曲頭の音切れをなくすることができる。」（第２頁左下欄１９行〜同頁右下欄１１行参照）こと、
　（1-v）「［発明の実施例］
　以下、この発明の一実施例を図面にもとづいて説明する。
　第１図はこの発明の一実施例による記録再生装置における音楽情報信号、曲頭信号、曲番信号のテープ上への記録状態を示す信号波形図であり、同図（ａ）はテープ上へ記録すべき２つの音楽情報号（ＭＳ１），（ＭＳ２）の音量の時間的推移を示し、同図（ｂ）はテープ上に記録される記録曲頭信号を示し、また同図（ｃ）は上記曲頭信号と同様にテープ上に記録される曲番信号の生成時間を示す。
　つぎに、アフターレコーディング動作について説明する。
　曲番信号のアフターレコーディングは、たとえば第２図（ｃ）で示されている（Ｎ），（Ｎ＋１）なる曲番を（Ｍ），（Ｍ＋１）と書き直す場合に実行される。このとき、従来の記録再生装置では、曲頭信号および曲番信号の一をそのままにして、曲番信号の内容を（Ｎ→Ｍ），（Ｎ＋１→Ｍ＋１）に書き直していただけである。これに対し、この実施例では曲番信号のアフターレコーディング時において、第１図（ｂ）で示す曲頭信号および第１図（ｃ）で示す曲番信号の位置を既記録位置に対して前方へ時間（Ｔ６）だけずらして記録するとともに、曲番信号の内容を（Ｎ→Ｍ），（Ｎ＋１→Ｍ＋１）に書き直す。このとき、第１図（ｂ）および（ｃ）の仮想線で示す既記録曲頭パルス信号（Ｐ１），（Ｐ２）および曲番信号を消去する。
　上記既記録位置に対する前方へのずらし時間（Ｔ６）を、
　　　Ｔ６＝Ｔ５（＝Ｔ１＋Ｔ２＋Ｔ４）
に設定することにより、再生時において、真の曲頭位置と再生時の開始位置との間に時間遅延が発生することをなくし、曲頭における音切れを防止することができる。
　なお、上記のずらし時間（Ｔ６）は実用上、１秒位に選定される。
　また、上記実施例では、ＤＡＴに適用した場合について説明したが、ＶＴＲ、光ディスク記録再生装置、磁気シート記録再生装置に適用しても、上記実施例と同様の効果を奏する。」（第２頁右下欄１２行〜第３頁右上欄１２行参照）こと、
　（1-vi）「［発明の効果］
　以上のように、この発明によれば、アフターレコーディング時に上記曲頭信号および曲番信号を既記録位置に対して所定時間前方にずらして記録するように構成したので、
音楽情報の検索や頭出しなどの再生時における曲頭の音切れをなくして、確実に真の曲頭位置から再生を開始することができるという効果を奏する
　
　引用例２には、
　（2-i）「大容量の記憶容量を有するディスク装置を備え、プログラム音声信号をデジタル化してこのディスク装置にファイルしておき、プログラム音声信号の再生時に放送に必要なプログラム音声信号の番地を指定してプログラム音声が読み出されることにより再生されるデイジタルオーディオファイル装置において、
　原素材のプログラム音声信号の先頭を検出し、プログラム音声信号を録音するファイリング作業を開始させる制御信号を制御部へ出力する音声検出回路と、アナログ／デジタル変換器でデジタル化された
プログラム音声信号を、少なくとも、前記音声検出回路がプログラム音声信号の先頭を検出してから前記制御部がファイリング作業を開始までの時間、遅延させてバッファメモリへ出力するシフトレジスタを備えた
　（2-ii）「〔産業上の利用分野〕
　本発明は大容量の記憶容量を有するディスク装置を備え、プログラム音声信号（ＣＭ音声、番号音声）をデジタル化してこれらをディスク装置にファイルしておき、プログラム音声信号の再生時に放送順に必要なプログラム音声信号の番地を指定してプログラム音声が読出されるデジタルオーディオファイル装置に関する。
〔従来の技術〕
　従来、この種のデジタルオーディオファイル装置は、
プログラム音声信号のデジタル化信号をディスクへ記録、すなわちファイリングする
〔発明が解決しようとする問題点〕
　上述した従来のデジタルオーディオファイル装置は、・・・（中略）・・・、原素材の再生音の先頭を検出する方法の場合には音声信号を検出しファイリングを開始したときには検出の遅れが音声信号のデジタル化をすでに進めているため原素材の取込みが遅れ、その結果として音声信号の頭の部分が欠けるという欠点がある。」（第１頁右下欄３〜第２頁左上欄１１行参照）こと、
　（2-iii）「〔実施例〕
　次に、本発明の実施例について図面を参照して説明する。
　第１図は本発明のデイジタルオーディオファイル装置の一実施例のブロック図である。
　音声検出回路３は、プログラム音声信号入力端子１に入力したプログラム音声信号２の先頭を検出して、音声検出制御信号４を出力する。アナログ／デジタル変換器９はプログラム音声信号２をデジタル化信号１０に変換する。マスタコントロール部５は
音声検出制御信号４によって本装置のファイリング動作を開始
少なくとも、音声検出回路３がプログラム音声信号２の先頭を検出してからマスタコントロール部５がファイリング動作を開始するまでの時間）だけ遅延された遅延デジタル化信号１３が出力される
　（2-iv）「〔発明の効果〕
　以上説明したように本発明は、アナログ／デジタル変換後のバッファメモリの前に遅延用に入れたシフトレジスタと、アナログ／デジタル変換器の前の音声信号を検出し、ファイリング開始信号とするための音声検出回路をもつことにより、原素材の音声信号を検出し、その
音声の先頭が欠けることなくファイリングできるデジタルオーディオファイル装置を提供
　
　周知例ａには、
　（a-i）「録音対象信号におけるそのレベルが閾値を超えるレベル変化点を検出するレベル検出手段と、
　そのレベル変化点検出信号に応答してスタートＩＤ信号を生成するＩＤ信号生成手段と、
　上記録音対象信号を遅延させる遅延手段と、
　上記ＩＤ信号生成手段からのスタートＩＤ信号と上記遅延手段からの録音対象信号とを記録媒体に記録する記録手段と、
を備えている録音回路。」（特許請求の範囲参照）、及び、
　（a-ii）「〔従来の技術〕
　ＤＡＴ等の記録再生装置にあっては、曲の頭出しを確実に行うためにスタートＩＤ信号を録音対象信号と共に記録する。
　・・・（中略）・・・
　しかし、このようなスタートＩＤ自動記録記録技術には、録音対象信号が実際に立ち上がった後にスタートＩＤ信号が記録されてしまうという問題が残されている。」（第１頁右下欄１行〜第２頁左上欄３行参照）こと、
　（a-iii）「〔作用〕
　本発明によれば、遅延手段における録音対象時間の遅延時間を調整することにより、スタートＩＤ信号を録音対象信号より先に記録することができる。」（第２頁左下欄１〜５行参照）こと、が記載されている。
　
　周知例ｂには、
　（b-i）「ＤＡＴ装置のスタートＩＤ記録方法において、遅延手段によりソース側から送られてくるオーディオ信号を所定時間遅延すると共に、曲頭検出手段により前記オーディオ信号の曲頭を検出し、曲頭が検出された時信号処理部により遅延手段から出力されるオーディオ信号にスタートＩＤを挿入して記録回路に出力することを特徴とするスタートＩＤ記録方法。」（特許請求の範囲参照）、及び、
　（b-ii）「＜産業上の利用分野＞
　本発明はＤＡＴ装置のスタートＩＤ記録方法に係わり、特に曲の開始点より少し前の位置にスタートＩＤを記録する方法に関する。」（第１頁左下欄１４〜１７行参照）こと、
　（b-iii）「＜発明が解決しようとする課題＞
　ところで、従来のスタートＩＤ記録方法においては、オーディオ信号レベルが所定時間連続して所定レベル以下になったことで曲間を検出し、曲間検出後オーディオ信号レベルが所定レベル以上になった時にスタートＩＤ記録イネーブル信号を出力してスタートＩＤを記録するようにしている。
　しかし、かかるスタートＩＤ記録方法では第３図に示すように、スタートＩＤ記録イネーブル信号ＳＩＥはオーディオ信号ＡＳの曲頭から所定時間ｔ０（例えば０．数秒）遅れた時刻に発生するため、スタートＩＤの記録が遅れる。このため、スタートＩＤをサーチして再生するプログラム演奏等の演奏モードにおいては曲の先頭が途切れる（頭切れ）という問題があった。」（第２頁左上欄３〜１７行参照）こと、
　（b-iv）「＜発明の効果＞
　以上本発明によれば、遅延手段によりソース側から送られてくるオーディオ信号を所定時間遅延すると共に、曲頭検出手段によりオーディオ信号の曲頭を検出し、曲頭が検出された時、遅延回路から出力されるオーディオ信号によりスタートＩＤを付加して磁気テープに記録するように構成したから、曲頭より少し前の位置からスタートＩＤを自動記録することができ、サーチ演奏に際して頭切れが生じることはない。」（第３頁左下欄１２行〜同頁右下欄１行参照）こと、が記載されている。
　
　周知例ｃには、
　（c-i）「磁気記録媒体上に複数の区切られた入力プログラム情報と、該入力プログラム情報の各々の先頭部分を標示するサブコード情報としての頭出し信号とを記録しまたこれを再生するようにした情報記録再生装置において、
　上記各々の入力プログラム情報の開始点を検出する曲頭検出回路と、
　上記曲頭検出回路からの検出出力に基づいて頭出し信号を生成するサブコードエンコーダと、
　上記入力プログラム情報の各々を一定時間だけ遅延する遅延回路とをそれぞれ記録系に備え、
　記録時に上記頭出し信号をプログラム情報に先行して記録し、選曲再生時に該頭出し信号の立ち上がり時点よりプログラム情報の再生動作を開始することにより、精密頭出し再生を行なうようにしたことを特徴とする情報記録再生装置。」（実用新案登録請求の範囲参照）、及び、
　（c-ii）「従来において、一連の曲を連続して磁気テープ上に記録するに際して、上記したスタート識別信号を自動的に記録する場合は、曲を記録しながら該曲の立ち上がり時点を検出して、この検出と同時にスタート識別信号を記録し始めていた。
　上記のように、スタート識別信号を曲の記録とともに自動的に記録した磁気テープにおいては、曲の開始点とスタート識別信号の立ち上がり時点が同時に記録されているために、サーチ状態での選曲再生動作を行なった場合に該スタート識別信号の立ち上がり時点から曲の再生が開始されるが、この時、メカニズム系の不安定要素に起因して発生するノイズを防止するために一定時間ミューティングをかけているため、曲の頭の部分が欠けて再生されるといった問題点があった。」（第３頁６行〜末行参照）こと、が記載されている。
　
ＩＩＩ．対比、判断
　そこで、本願発明と引用例１に記載の発明とを対比する。
　引用例１には、上記摘示からみて、音楽情報の検索や頭出しなどの再生時における曲頭の音切れをなくして、確実に真の曲頭位置から再生を開始することができる次の発明（以下、「引用例１発明」という。）が記載されていると認める。
　「（Ａ'）情報記録媒体上に音楽情報、曲頭信号、曲番信号を記録する記録再生装置において、
（Ｃ'）　曲頭位置はスレッシュホールドレベルと音楽情報信号の曲音量とを比較することにより得られ、
（Ｅ'）　曲番信号はＮの次がＮ＋１であり、曲番信号は曲頭位置と同一のタイミングで記録され、
（Ｆ'）　上記アフターレコーディング時に上記曲頭信号および曲番信号を既記録位置よりも所定時間前方にずらして記録するように構成した
（Ｇ'）　記録再生装置。」
　
　そして、
　（ｉ）引用例１発明の（Ａ'）「情報記録媒体上に音楽情報、曲頭信号、曲番信号を記録する記録再生装置」と（Ｇ'）「記録再生装置」は、該音楽情報の記録が「楽曲に対応したオーディオ信号の録音」に他ならないから、それぞれ本願発明の（Ａ）の「記録媒体に、少なくとも１の楽曲に対応したオーディオ信号の録音を行う録音装置」と（Ｇ）の「録音装置」に相当する。
　
　（ｉｉ）引用例１発明の（Ｃ'）「曲頭位置はスレッシュホールドレベルと音楽情報信号の曲音量とを比較することにより得られ」は、適宜採用し乃至は設計変更にすぎないものと認められるスレッシュホールドレベルを実質零として比較することが、無音状態から有音状態への変移を検出すること他ならないから、本願発明の（Ｃ）「前記オーディオ信号の無音状態から有音状態への変移に基づいて曲の開始位置を検出して検出信号を発生する音声検出手段」に相当する。　なお、このような音声検出手段は、上記引用例２や周知例ａ〜ｃで適宜採用（上記各摘示参照）されている如く、周知慣用の手段にすぎない。
　
　（ｉｉｉ）引用例１発明の「曲番信号」（（Ａ'）や（Ｅ'）、（Ｆ’）参照）は、本願発明のトラックナンバー信号が曲番を示す信号であることに鑑みると、本願発明の「曲番を示すトラックナンバー信号」（（Ｄ）参照）や、「トラックナンバー信号」（（Ｅ），（Ｆ）参照）に対応し、いずれも「曲番を示す信号」で一致する。
　ただ、本願発明では曲番を示す信号として、「曲番を示すトラックナンバー信号」や「トラックナンバー信号」と規定している点で一応相違している（この点は、以下の（ハ）の相違点として扱う。）。
　
　（ｉｖ）引用例１発明の（Ｅ'）「曲番信号はＮの次がＮ＋１であり」は、本願発明の（Ｅ）の「トラックナンバー信号を１インクリメントする手段」に対応し、いずれも「曲番を示す信号を１インクリメントする手段」で一致する。
　
　（ｖ）引用例１発明の（Ｆ'）「上記曲頭信号および曲番信号を既記録位置よりも所定時間前方にずらして記録するように構成した」は、信号を変調して記録媒体に記録することが周知慣用技術であること、及び、音楽信号、即ちオーディオ信号も記録されること（（Ａ'）参照）に鑑みると、本願発明の（Ｆ）「前記遅延オーディオ信号及び前記記憶手段に記憶されている曲番を示す信号を夫々変調して前記記録媒体に記録する記録手段」とは、いずれも「オーディオ信号及び曲番を示す信号を夫々変調して前記記録媒体に記録する記録手段」である点で一致する。
　ただ、引用例１では、「既記録位置よりも所定時間前方にずらして記録」するのに対し、本願発明では「遅延オーディオ信号」を用いている（実質的にオーディオ信号を後方にずらして記録している）点で相違する（以下の（ホ）の相違点として扱う）。
　
　してみると、両発明は、音楽情報の検索や頭出しなどの再生時における曲頭の音切れをなくして、確実に真の曲頭位置から再生を開始することができる、
　「（Ａ''）　記録媒体に、少なくとも１の楽曲に対応したオーディオ信号の録音を行う録音装置であって、
（Ｃ''）　前記オーディオ信号の無音状態から有音状態への変移に基づいて曲の開始位置を検出して検出信号を発生する音声検出手段と、
（Ｅ''）　曲番を示す信号を１インクリメントする手段と、
（Ｆ''）　オーディオ信号及び曲番を示す信号を夫々変調して前記記録媒体に記録する記録手段と
（Ｇ''）　を有することを特徴とする録音装置。」の発明で一致している。
　
　しかし、両発明は、次の（イ）〜（ホ）の点で相違している。
　（イ）記録媒体に関し、本願発明では「１回のみ記録可能な記録媒体」（（Ａ）参照）と規定しているのに対し、引用例１発明では、アフターレコーディング可能とされていることからみて、１回を超える記録が可能な記録媒体を対象としている点。
　（ロ）媒体に記録するオーディオ信号に関し、本願発明では、「前記オーディオ信号を所定の第１時間だけ遅延させて遅延オーディオ信号を得る遅延手段」（（Ｂ）参照）により得た「遅延オーディオ信号」を用いているのに対し、引用例１発明ではそのような記載がない点。
　（ハ）曲番を示す信号に関し、本願発明では「曲番を示すトラックナンバー信号」であり、「曲番を示すトラックナンバー信号を記憶する記憶手段」（（Ｄ）参照）を有するとしているのに対し、引用例１発明ではそのような言及がない点。
　（ニ）曲番を示す信号を１インクリメントする手段に関し、本願発明では、「前記音声検出手段から発生された検出信号に応じて時間を計時する計時手段と、前記計時手段が前記第１時間よりも小なる第２時間を計時したタイミング毎に前記記憶手段に記憶されているトラックナンバー信号を１インクリメントする手段」（（Ｅ）参照）と特定しているのに対し、引用例１発明ではそのような具体的構成が記載されていない点。
　（ホ）記録手段に関し、本願発明では、「遅延オーディオ信号」と「記憶手段に記憶されているトラックナンバー信号」を用いて記録している（（Ｆ）参照）のに対し、引用例１発明では、オーディオ信号を記録した後のアフターレコーディグ時に、曲番信号（及び曲頭信号）を「既記録位置よりも所定時間前方にずらして」記録している点。
　
　そこで、これらの相違点について検討する。
　先ず、（ロ）の点について
　上記引用例２や周知例ａ〜ｃには、上記摘示の如く、録音対象信号（オーディオ信号）を遅延させることによって曲頭の音切れを回避することが示されている。特に、周知例ａ〜ｃには、曲の頭出しを行う際の音切れが生じないように、曲頭信号（スタートＩＤ信号、スタート識別信号）を録音対象信号（オーディオ信号）より前に記録すべく、録音対象信号（オーディオ信号）を遅延させて記録することが記載されていて、そのような技術は周知と認められる。
　ところで、引用例１発明においては、「曲番信号は曲頭信号と同一のタイミングで記録され」る（（Ｅ'）参照）ことを考慮すると、曲番信号についても曲頭信号と同じ扱いができる乃至同じ扱いをすべきものと認められる。
　してみると、引用例１発明において、アフターレコーディングによってオーディオ信号の前に曲番信号を再記録する代わりに、オーディオ信号を遅延させることにより、曲番信号に続いてオーディオ信号を記録する（即ち、曲番信号をオーディオ信号の前に記録する）ことは、その手段が曲頭の音切れの回避の目的（本願発明の目的と同じ）とともに既に知られていることに鑑みれば、当業者が容易に想い到る代替手段の採用にすぎないと言うべきである。　なお、その手段の採用によって、再記録のわずらわしさが必要なくなることは自明と認められる。
　
　（ハ）の点について
　トラックナンバー信号は、曲番を示す信号の一種であり、曲の位置を表す点で本質的に差異はなく、トラックナンバー信号を曲番を表す信号として用いることは適宜であって単なる設計事項にすぎない。
　また、引用例１発明では「曲番信号は曲頭位置と同一のタイミングで記録され」ているのであり、曲番を扱うには、その曲番乃至その信号を記憶する手段が必要なことが明白であるから、引用例１発明でも、言及の有無にかかわらずそのような「曲番を示す信号」を記憶する手段が設けられると解するのが相当である。
　そうであるから、「曲番を示すトラックナンバー信号を記憶する記憶手段」を設ける点は、実質的な相違点とはいえない。
　
　（ニ）の点について
  上記（ロ）の点についの検討において判断した如く、アフターレコーディングを行う代わりに、オーディオ信号を遅延させることで同様な記録状態（オーディオ信号より前に曲番信号を記録している状態）を作り出すとの前提に立つと、曲の頭を検出する音声検出手段で検出したときが曲の変わり目（曲番が１つ増加する）であるから、その曲の変わり目を検出した時点から曲番信号の書き込みを始めるまでの間で、曲番を示す信号を１インクリメントすることが自然であるといえる。
　そして、そのような曲番信号に続き遅延させたオーディオ信号を記録する記録状態を想定すると、音声の検出時点から曲番を１つ増加させ書き込みを始めるまでに要する時間（そのうち、曲番を１つ増加させるまでに要する時間が「第２時間」に相当する。）よりも、音声検出時点から音声信号の記録を開始するまでの遅延時間を表す時間（即ち、「第１時間」に相当）を長く採る必要があること（換言すると、「第２時間」を「第１時間」よりも短く設定すること）は、明白のことといえる（必要であれば引用例２や周知例３〜５の記載も参照）。
　ところで、時間長さを対比する以上、その時間を計測するのは当然であって、前記の時間長さを対比する内容からみて、「音声検出手段から発生された検出信号」を検出した時点からの時間を計測するのが自然であり、自明である。なお、本願発明の「音声検出手段から発生された検出信号に応じて時間を計時する」とは何を意味するのかが不明瞭であるが、本願明細書の全趣旨からみて、音声を検出した時点からの時間を測定していると解するのが相当である。
　そして、前記（ニ）に関しての本願発明の構成は、上記のことを単に別の表現でしたにすぎないものと認められ、前記（ロ）に関しての本願発明相当の構成を採用したことに付随する構成にすぎないから、（ロ）に関しての本願発明相当の構成の採用に際し、当然に乃至格別の創意工夫無く採用される程度の構成といえるので、当業者が容易に想到し得る程度の構成というべきである。
　
　（ホ）の点について
　上記（ロ）に関する本願発明相当の構成を採用する、即ち、アフターレコーディングの代わりにオーディオ信号の遅延手段で対処するとの前提に立つと、当然の如く、記録手段としては、アフターレコーディングではなく、「前記遅延オーディオ信号及び前記記憶手段に記憶されているトラックナンバー信号を夫々変調して前記記録媒体に記録する」ことになる。
　結局のところ、前記（ホ）に関しての本願発明の構成も、前記（ロ）に関しての本願発明相当の構成を採用したことに付随する構成にすぎないから、（ロ）に関しての本願発明相当の構成の採用に際し、当然に乃至格別の創意工夫無く採用される程度の構成といえるので、当業者が容易に想到し得る程度の構成というべきである。
　
　（イ）の点について
　記録用のディスクとして、ＣＤ−Ｒ等の如き「１回のみ記録可能な記録媒体」は周知であるから、そのような１回のみ記録可能な記録媒体を用いることは、当業者であれば適宜なし得ることであって、その点で格別の創意工夫が必要であるとは認められないばかりか、格別予想外の作用効果を奏しているとも認められない。
　この点に関し、審判請求理由において請求人は、引用例１発明に関しては１回のみ記録可能な記録媒体について記載されていないし、アフターレコーディングを行うためには、１回のみ記録可能な記録媒体を用いることができない旨を主張しているけれども、そもそも上記（ロ）のオーディオ遅延手段を採用した時点で、アフターレコーディングを必要としないことは明白であり、記録可能な回数によって影響を受けるものでもないから、該請求人の主張は、その時点で発明の容易性の判断を左右し得る要因ではなく、採用できるものではない。
　
　そして、（イ）〜（ホ）の点を総合的に勘案しても、格別の創意工夫があるとは認められず、また格別予想外の作用効果を奏しているとも認められない。
　よって、本願発明は、引用例２の記載や周知技術を勘案し引用例１発明に基づいて当業者が容易に想到し得たものである。
　
ＩＶ．むすび
　したがって、本願の請求項１に係る発明は、特許法第２９条第２項の規定により特許を受けることができない。　それ故、本願は、他の請求項に係る発明について論及するまでもなく、拒絶すべきものである。
　よって、結論のとおり審決する。